(57)【要約】  マットレス用に設計作製されたフォーム部品が、フォーム内および水平面またはブロック平面ピース内での張力を低減させ、フォームサポートシステムの適合性および動き分割特性を改善する。張力軽減フォームパッドは、上部表面および底部表面を有するほぼ矩形のフォームピースである。設計作製されたフォームピースの長さおよび幅の寸法は、共に用いられるマットレスのそれら寸法とほぼ等しい。マットレス構造内での張力軽減フォームパッドの配列に応じて、上部または底部のいずれか一方の表面は、千鳥格子または他のパターンに配列された複数の連続した切れ込み、スリット、または開口を含み、他方は平面状で切れ込みのない表面である。【選択図】図１
2014512936.tif 000002
【特許請求の範囲】
【請求項１】
張力軽減マットレスシステムであって、
縦横列に配置された複数の相互接続されたコイルを有するインナースプリングユニットと、
前記インナースプリングの直上に配置された張力軽減パッドであって、ほぼ平面状である上部表面、および前記上部表面に対向し、複数の正方形または長方形をその上に形成するように配列された複数の切れ込みを有する底部表面を有する張力軽減パッドと、を備えており、
前記張力軽減パッドは厚さが少なくとも１インチであり、前記底部表面上の前記正方形または長方形の幅は少なくとも２．５インチであり、隣接する正方形または長方形の各々の間の距離は０．７５インチよりも小さい、
張力軽減マットレスシステム。
【請求項２】
前記張力軽減パッドの前記底部表面上の前記複数の正方形または長方形のそれぞれは、前記インナースプリングの前記複数の相互接続されたコイルのそれぞれの直上にある、請求項１に記載の張力軽減マットレスシステム。
【請求項３】
前記張力軽減パッドの前記底部上の前記複数の正方形または長方形のそれぞれは、前記インナースプリングの少なくとも１つのコイルの直上にある、請求項１に記載の張力軽減マットレスシステム。
【請求項４】
前記張力軽減パッドの前記底部表面上の前記複数の正方形または長方形は、サイズが均一である、請求項１に記載の張力軽減マットレスシステム。
【請求項５】
前記張力軽減パッドの前記底部表面上の前記複数の正方形または長方形は、サイズが不均一である、請求項１に記載の張力軽減マットレスシステム。
【請求項６】
前記張力軽減パッドの前記底部表面上の正方形または長方形の第１グループは、前記インナースプリングユニットの３つのコイルに対応する第１のサイズであり、前記張力軽減パッドの前記底部表面上の正方形または長方形の第２グループは、前記インナースプリングユニットの２つのコイルに対応する第２のサイズである、請求項１に記載の張力軽減マットレスシステム。
【請求項７】
前記張力軽減パッドの前記底部表面の短いエッジ上に配置された前記正方形または長方形は、それらの間に配置された残りのブロックよりも大きな幅を有する、請求項１に記載の張力軽減マットレス。
【請求項８】
前記張力軽減パッドの前記底部表面上の正方形または長方形の隣接する各一対は均一のサイズである、請求項１に記載の張力軽減マットレス。
【請求項９】
前記張力軽減パッドはポリウレタンフォームからなる、請求項１に記載の張力軽減マットレス。
【請求項１０】
スペーサー用織物が、前記張力軽減パッドと前記インナースプリングユニットとの間に配置されている、請求項１に記載の張力軽減マットレス。
【請求項１１】
張力軽減マットレスシステムであって、
複数の相互接続されたコイルを有するインナースプリングユニットと、
ほぼ平面状である上部表面、および前記上部表面に対向し、複数の隆起したブロックに形成された複数の切れ込みを含む底部表面を有する張力軽減パッドと、を備えており、
前記複数の隆起したブロックの厚さは少なくとも１インチであり、前記複数の隆起したブロックの幅は、前記ブロック高さより大きいかまたは等しく、前記複数の隆起したブロックの隣接する各一対の間の距離は、最も小さいブロック幅の約１５％である、
張力軽減マットレスシステム。
【請求項１２】
前記複数の隆起したブロックのサイズは均一である、請求項１１に記載の張力軽減マットレスシステム。
【請求項１３】
前記複数の隆起したブロックのサイズは不均一である、請求項１１に記載の張力軽減マットレスシステム。
【請求項１４】
前記複数のフォームブロックのサイズは、前記インナースプリングユニットの１つまたはそれ以上のコイルに対応する、請求項１１に記載の張力軽減マットレスシステム。
【請求項１５】
前記張力軽減パッドはポリウレタンフォームからなる、請求項１１に記載の張力軽減マットレスシステム。
【請求項１６】
張力軽減マットレスシステムであって、
複数の相互接続されたコイルを有するインナースプリングユニットと、
２つまたはそれ以上のフォーム層および前記２つまたはそれ以上のフォーム層の間に位置する張力軽減パッドからなる快適ユニットであって、前記張力軽減パッドは複数の隆起したブロック内に形成された複数の切れ込みを含む上部表面を有する、快適ユニットと、を備えており、
前記張力軽減パッドの厚さは少なくとも１インチであり、
前記張力軽減フォームパッドは薄層状に貼り合わされている、
張力軽減マットレスシステム。
【請求項１７】
前記複数の隆起したブロックのサイズは均一である、請求項１１に記載の張力軽減マットレスシステム。
【請求項１８】
前記複数の隆起したブロックのサイズは不均一である、請求項１１に記載の張力軽減マットレスシステム。
【請求項１９】
前記張力軽減パッドはポリウレタンフォームからなる、請求項１１に記載の張力軽減マットレスシステム。
【請求項２０】
前記複数の隆起したブロックの高さは、少なくとも２．５インチである、請求項１１に記載の張力軽減マットレスシステム。
【発明の詳細な説明】
【技術分野】
【０００１】
本願は、２０１１年５月１２日に出願された米国特許仮出願第６１／４８５，３６４号の優先権を主張するものであり、その内容は全体として本明細書において援用されている。
【０００２】
本発明は、寝具または着座用など人間のためのサポートシステムを含む反発性サポートシステムの分野に関する。
【発明の概要】
【課題を解決するための手段】
【０００３】
本発明は、表面または構造的に一部変更されたフォームを、非常に局所的な変形およびサポート、水平面での独立した動きおよび低減された張力、適合性の改善、並びにサポートシステムの動き分割特性のために、マットレスに組み込むものである。代表的な実施例において、張力軽減フォームパッドは、フォームからなるほぼ矩形のピースであり、上部表面および前記上部表面に対向かつ平行である底部表面を備えており、前記上部表面および底部表面とは垂直にそれらの間に伸延する４つの側壁を有している。パッドの長さおよび幅の寸法は、共に用いられるマットレスのそれら寸法にほぼ等しい。マットレス構造内の張力軽減フォームパッドの配置に応じて、以下にさらに詳細に述べられるように、上部または底部表面のいずれか一方が、千鳥格子または他のパターンに配置された複数の切れ込みを備えており、他方の表面は実質的に平面状である。これらの切れ込みはパッドの表面上に正方形または長方形の複数のブロックと、独立したサポート特性を有する独立したモジュールとを作り出し、これらはスプリングなどの他のサポート要素に連結されることができる。
【図面の簡単な説明】
【０００４】
【図１Ａ】図１Ａは、マットレスシステムにおける他のフォーム層の中の張力軽減フォームトッパーの好ましい配置を示す斜視図である。
【図１Ｂ】図１Ｂは、マットレスシステムにおける他のフォーム層の中の張力軽減フォームパッドの他の配置を示す斜視図である。
【図２】図２は、一実施例における張力軽減フォームパッドおよびインナースプリングを示す側面図である。
【図３】図３は、他の実施例における張力軽減フォームパッドおよびインナースプリングを示す側面図である。
【図４】図４は、マットレスシステムにおける他のフォーム層の中の様々な配置における張力軽減フォームパッド上の表面たわみを示すグラフである。
【図５】図５は、マットレスシステムにおける他のフォーム層の中の様々な配置における張力軽減フォームパッド上の表面ひずみを示すグラフである。
【図６Ａ】図６Ａは、張力軽減フォームパッドがマットレスシステムの最上層として用いられる場合の、パッドに亘る応力分布を示す斜視図である。
【図６Ｂ】図６Ｂは、張力軽減フォームパッドがマットレスシステムの最下層として用いられる場合の、パッドに亘る応力分布を示す斜視図である。
【図７】図７は、他の実施例における張力軽減フォームパッドおよびインナースプリングを示す側面図である。
【図８】図８は、不均一なサイズのブロックを有する張力軽減フォームパッドの上面図である。
【図９】図９は、不均一なサイズのブロックを有する張力軽減フォームパッドの一例を示す側面図である。
【図１０】図１０は、不均一なサイズのブロックを有する張力軽減フォームパッドの他の一例を示す側面図である。
【図１１】図１１は、不均一なサイズのブロックを有する張力軽減フォームパッドの他の一例を示す側面図である。
【発明を実施するための形態】
【０００５】
本開示および関連する発明の張力軽減フォームパッド、マットレスおよびサポートシステムは、水平面における、独立した局所的変形、サポートおよび動き、並びに低減された張力またはせん断力を達成するために、表面を一部変更させたフォームを用いており、システムの適合性および動き分割特性に利益を与えている。本明細書に説明されている様々な形態の張力軽減フォームピースおよびパッド（本明細書では「パッド」または「フォームパッド」または「トッパー」とも称される）１０は、上部表面と上部表面に対向かつ平行な底部表面とを有する矩形ブロック平面形状という概略的形態である。例えば、パッド１０の長さおよび幅の寸法は、共に用いられるマットレスのそれら寸法と実質的に等しい。特定の代表的実施例を参照して説明されるが、本開示のコンセプトは、フォームの他の物理的形態においても適用および実行されることができる。ここで用いられるように、「張力軽減フォーム」という用語は、様々な説明されるフォームの構成および構造のそれぞれを概括的に指し、さらに概括的にはフォームのボディのセル状構造における応力を低減または除去するフォームボディ構成を指している。設計コンセプトおよび構成は、連続気泡または独立気泡タイプのフォームを含み、そこからそのような形状および構成が製造され得るあらゆるタイプのフォームに等しく適用可能である。以下にさらに詳細に述べるように、マットレス構造内の張力軽減フォームパッド１０の配置に応じて、上部表面または底部表面のいずれかが、千鳥格子または他のパターンに配置された複数の連続する切れ込み１８を有し、他方の表面は実質的に平面であって概して切れ込みは有していない。切れ込み１８は、パッド１０の一表面上に複数の正方形または長方形のブロック１６を作り出す。
【０００６】
典型的なマットレスシステムは、土台またはボックススプリングと、サポートユニットと、任意に快適ユニットとを備えている。土台は、従来の内部設計および構成とすることができ、矩形フレームを有し、その上に複数のスプリング要素またはモジュールが取り付けられており、それによって上を覆うグリッドのためのフレキシブルなサポートを提供し、それが土台の表面を規定する。土台における複数のスプリングモジュールは、ワイヤから形成されるか、または複合材料からなることができ、あるいは全体として個々のスプリングモジュールを用いず、むしろフレキシブルサポート表面の形態とすることができる。土台ユニットは、両側部ボード、頭部ボードおよび足部ボードをさらに備え得るベッドフレームによって典型的にサポートされる。本開示のマットレスのサポートユニットまたはインナースプリングは、土台表面上に取り付けられる寸法とされており、それによって完全にサポートされている。サポートユニットまたはインナースプリングは従来の設計とされることができ、複数の相互接続されたスプリングコイルを含んでいる。あるいは、サポートユニットは、内部ワイヤまたはスプリング要素を全く持たない高性能フォームコア構造とすることもできる。サポート表面は、マットまたはフォームからなる１層またはそれ以上の層、あるいは他のシート状の織物または不織材料などの、インナースプリングを覆う比較的少ない数の材料層を有している。これらの層の主要な目的は、インナースプリングのコイルの端部の上を覆って滑らかな表面を提供することである。快適ユニットはサポートユニット上に取り付けられる寸法とされている。それは、ほぼ水平な上部および底部、並びに、これら上部および底部の間に伸びるほぼ垂直またはテーパー状の側部を有しており、サポート用および緩衝用部品を含む中央スペースを規定する。快適ユニットは、圧縮可能な整合性のある内部層の材料からなる付加的な層を備えている。快適ユニットは、１つまたはそれ以上のフォームコア層と、綿またはウール繊維、ポリエステルあるいはハイブリッド材料マットなど合成または有機マット材料からなる中間および外側層と、を備えることができる。吸湿防止材、通気プロモーター、裏打ちまたはフレーム、あるいは熱抑制材として働き得る、綿織物、ウール織物または合成布あるいはそれらのハイブリッド布、あるいは中空でないまたは有孔のプラスチックフィルムなどのシート材料など、特別な材料層を用いることもできる。快適ユニットの感触は、ポリウレタンフォーム、弾粘性フォーム、ラテックスフォーム、繊維、ジェル、またはこれらの様々な組み合わせなど、異なる挿入材料を用いることによって調整されることができる。快適ユニット材料は、張り地によって封じ込められており、マットレス用の丈夫な布、例えば、織られたまたは刺繍された材料で裏打ちされたフォームまたはパッド、側壁材料またはマットレス用の丈夫な布、テープ端、および、サポートユニットのピロートップから上部まで伸びる補強用のマチを備えることができる。快適ユニットの張り地は、材料の組み合わせとすることもできる。
【０００７】
好ましい実施態様において、張力軽減パッド１０の上部表面はほぼ平面であり、底部表面は千鳥格子または他のパターンに配置された複数の切れ込み１８を含む。不連続な島状構造のフォームの間の切れ込みまたは空隙１８は、サイズおよび間隔が均一または均一でない、ほぼ線形またはそうではない、および一律な寸法またはそうではないとすることができる。フォーム構造１６は、成形、切削、ウォータージェット形成、またはその他の適当な方法によって形成されることができる。インナースプリング１５またはスプリングユニットと共に組み合わせて用いる場合、図１Ａ、図２および図３に示すように、張力軽減フォーム１０パッドは、インナースプリング１５の真上およびマットレスまたは快適ユニットのいずれかの他のフォーム層１２の下方に通常は配置される。薄い織物または繊維層あるいは遮断層が、張力軽減フォームパッド１０とインナースプリング１５との間に配置されることができる。パッド１０の底部表面上の個々のブロック１６は、図２および図３に示すように、マットレスインナースプリング１５のコイル１４の上方末端回旋の位置に位置合わせされるか、配置的に合致することができる。ブロック１６のサイズに応じて、各ブロックは、インナースプリング１５の２つまたはそれ以上のスプリングあるいはコイル１４との組み合わせに対応して働くことができ、コイル１４の感触を強調するフォーム１０およびコイル１４の改善された独立した動きを提供する。個々のブロック１６のそれぞれは、インナースプリング１５と組み合わせて、そのすぐ上に位置する重さに応じて別々に圧縮されることができる。張力軽減パッド１０をインナースプリング１５の直ぐ上、他のフォーム層１２の下方に配置することは、図４および図５のグラフに示すように、さらに図６Ｂに示される応力状態マッピングに示すように、より高度な局所的追従、より低い表面ひずみ、およびより低い複合応力状態を提供するように示される。
【０００８】
本発明の張力軽減フォームマットレスシステムにおいて用いられることができるスプリングの代表的かつ限定的でない例は、共通に譲渡された米国特許第４，５３５，９７８号、第４，７２６，５７２号、第５，５５８，３１５号、第６，１３４，７２９号、第６，３５４，５７７号、第６，４０６，００９号、第８，１７８，１８７号、第７，４０４，２２３号、第７，９０８，６９３号に開示されるものを含み、さらに、フレームまたはプラットフォーム上に取り付けられることができ、そのフレームまたはプラットフォームを覆うグリッドまたは他のマットレスサポート構造をサポートすることができる他のあらゆるスプリングあるいは単数または複数の反発性装置を含む。スプリングは、個々にポケットに入れられるか、マーシャルタイプのコイルとすることもでき、あるいはコイルはポケットまたはケース収納されていないこともあり得る。図２、図３、および図７に示されるように、個々のフォームブロック１６のそれぞれは、スプリングユニット１５の１つまたはそれ以上の対応するスプリング１４と関連付けられることができる。各コイル１４の軸方向上端部を物理的に直接または間接的にフォームブロック１６の対向する面に接触させることで、ハイブリッドスプリングコンビネーションが提供され、それによって、特定のフォームブロック１６の領域に加えられる力が全体としてまたはその一部が対応するスプリング１４へ伝達され、対応する単数または複数のスプリング１４とフォームブロック１６が、加えられた力に共に反応する。パターンにおける各ブロック１６のサイズは、例えば、図７に示すパッド１０などのように均一であり得、ここで、均一なサイズを持つ各フォームブロック１６はインナースプリング１５の単一のコイルユニット１４に対応する。また、図３は、インナースプリング１５の２つのコイルユニット１４ごとに対応する均一サイズのフォームブロック１６を有するパッド１０を示す。或いは、パターンにおけるフォームブロック１６のサイズは、例えば、図２に示すパッド１０などのように不均一であり得、ここで、インナースプリング１５の３つのコイルユニット１４に対応する第１のサイズを有するブロック１６は、インナースプリング１５の２つのコイルユニット１４に対応する第２のサイズを有するブロック１６の間に分散して配置される。個々のブロック１６は、ブロック１６の数またはサイズが変化するように区分されることができる。例えば、パッド１０の短いエッジに沿って配置されるブロック１６は、より長い幅を有することができ、それらの間に配置される残りのブロック１６は、均一な幅を有することができる。この均一な幅は、パッド１０の短いエッジに沿ったブロック１６の幅よりも狭い。いずれかの数のコイル１４に対応する均一または不均一なサイズのブロック１６のいずれかのパターンが、本発明の張力軽減フォームパッド１０およびマットレスシステムにおける異なるゾーンを作り出すように用いられることができる。
【０００９】
他の実施態様において、張力軽減フォームパッド１０の底部表面はほぼ平面であり、上部表面は千鳥格子あるいは他の均一または不均一なパターンに配置される複数の切れ込み１８を有している。この構成において、図１Ｂに示すように、張力軽減フォームパッド１０は、典型的には、マットレス構成の付加的なフォーム層１２の間に配置される。身体の痕跡となり得る、張力軽減フォームパッド１０の上部表面上のブロック１６と、隣接するフォームパッド１２の底部表面との間のバンチングまたはくっつきを防止するため、張力軽減パッドは薄層状に貼り合わされることができる。切れ込み１８は、あらゆる幅または開口であり得（またはスリットの形態など開口のないもの）、あるいは１ｍｍから１０ｍｍまたはそれ以上のサイズ幅とすることができる。また、切れ込み１８は、ほぼ平面かつ平行な壁部またはテーパ状または他の形態を有することができ、図示されるような直線かつ直交する線で形成されるか、あるいはフォームピースの張力を低減する同様の結果を有する他の配列で形成されることができる。
【００１０】
張力軽減フォームパッド１０の大きさ、ブロックカットおよび幾何学的形状は、表面変形、表面ひずみ、層の上の応力状態、およびパッド１０の変形モードに影響を与える。例えば、ブロック１６の高さが大きすぎると、各ブロック１６の間に弱いポイントが生じることがあり、力がそこに加えられると裂けやすくなってしまう。切れ込み１８または各ブロック１６間の間隙の幅が広すぎると、マットレスの上部表面上で局部的くぼみが生じる可能性がある。間隙１８が狭すぎると、隣接するブロック１６同士が接触しすぎることになり、独立した動きが妨げられる。また、ブロック１６の高さが高すぎると、ブロック１６にたわみや変形が生じることがある。従って、総括的な全体的デザインの考慮点として、フォームパッド１０の厚さまたはフォームパッド１−の全体的な実質的高さは１インチより大きいか等しくなくてはならず、ブロック１６の幅はブロック１６の高さよりも大きいか等しい、あるいは２．５インチよりも大きいか等しくなくてはならず、間隙の幅は、最も小さいブロック１６の幅の１５％または０．７５インチよりも小さくなくてはならない。
【００１１】
一実施例において、張力軽減フォームパッド１０は厚さ約３インチとすることができ、各ブロック１６間の切れ込み１８は深さ約２インチまたはフォームパッド１０の中へ約２／３伸延している。個々のブロック１６は、幅３．７５インチ×長さ３．７５インチなど均一なサイズであり、ブロック１６間の切れ込みまたは間隙１８の幅は、およそ０．２５インチである。あるいは、個々のブロック１６は、短いエッジに配置されたブロック１６は、それらの間に配置されたブロック１６よりも大きいなどそのサイズを変えることができる。ここで、パッド１０の短いエッジに配置されたブロック１６は幅がおよそ７．３５インチであり、それらの間に配置されたブロック１６は幅がおよそ５．２インチである。この実施例における張力軽減フォームパッド１０はゾーンに区分けされたマットレス構成を可能とし、ここで、サイズの異なるブロック１６が形成され、マットレスの肩または腰の領域など異なるサポート特性が望まれる特定の区域または領域に配置されることができ、マットレスの肩または腰の領域では、比較的大きなサイズのブロック１６が比較的大きな密度および個々の動きまたは変形の比較的小さな自由度を有するので、構造的に変更されたフォームの向上された適合性および対応するスプリングまたはコアユニットサポートを保持したまま、より堅いサポートを提供することができる。様々な厚さ寸法を有する張力軽減フォームパッド１０が図９、図１０、および図１１に示される。
【００１２】
広く説明されるように本発明の精神または範囲から逸脱することなく特定の実施例において示されるように多くの変形および／または変形例が本発明になされ得ることは当業者には明らかであろう。したがって、これらの実施例はあらゆる点で単なる例示にすぎず、限定的に解釈してはならない。本発明の他の特徴および局面は本開示を読んで理解すれば当業者には明らかとなるであろう。報告された結果および実施例のそのような特徴、局面、および期待される変形および変形例は明らかに本発明の範囲内であり、本発明は以下に述べる請求の範囲によってのみ限定される。
【図１Ａ】
2014512936.tif 000003
【図１Ｂ】
2014512936.tif 000004
【図２】
2014512936.tif 000005
【図３】
2014512936.tif 000006
【図４】
2014512936.tif 000007
【図５】
2014512936.tif 000008
【図６】
2014512936.tif 000009
【図７】
2014512936.tif 000010
【図８】
2014512936.tif 000011
【図９】
2014512936.tif 000012
【図１０】
2014512936.tif 000013
【図１１】
2014512936.tif 000014
【手続補正書】
【提出日】平成26年1月15日(2014.1.15)
【手続補正１】
【補正対象書類名】特許請求の範囲
【補正対象項目名】全文
【補正方法】変更
【補正の内容】
【特許請求の範囲】
【請求項１】
張力軽減マットレスシステムであって、
縦横列に配置された複数の相互接続されたコイルを有するインナースプリングユニットと、
前記インナースプリングの直上に配置された張力軽減パッドであって、ほぼ平面状である上部表面、および前記上部表面に対向し、複数の正方形または長方形をその上に形成するように配列された複数の切れ込みを有する底部表面を有する張力軽減パッドと、を備えており、
前記張力軽減パッドは厚さが少なくとも約１インチであり、前記底部表面上の前記正方形または長方形の幅は少なくとも約２．５インチであり、隣接する正方形または長方形の各々の間の距離は約０．７５インチよりも小さい、
張力軽減マットレスシステム。
【請求項２】
前記張力軽減パッドの前記底部表面上の前記複数の正方形または長方形のそれぞれは、前記インナースプリングの前記複数の相互接続されたコイルのそれぞれの直上に配置される、請求項１に記載の張力軽減マットレスシステム。
【請求項３】
前記張力軽減パッドの前記底部上の前記複数の正方形または長方形のそれぞれは、前記インナースプリングの少なくとも１つのコイルの直上に配置される、請求項１に記載の張力軽減マットレスシステム。
【請求項４】
前記張力軽減パッドの前記底部表面上の前記複数の正方形または長方形は、サイズがほぼ均一である、請求項１に記載の張力軽減マットレスシステム。
【請求項５】
前記張力軽減パッドの前記底部表面上の前記複数の正方形または長方形は、サイズがほぼ不均一である、請求項１に記載の張力軽減マットレスシステム。
【請求項６】
前記張力軽減パッドの前記底部表面上の正方形または長方形の第１グループは、前記インナースプリングユニットの３つのコイルにほぼ対応する第１のサイズであり、前記張力軽減パッドの前記底部表面上の正方形または長方形の第２グループは、前記インナースプリングユニットの２つのコイルにほぼ対応する第２のサイズである、請求項１に記載の張力軽減マットレスシステム。
【請求項７】
前記張力軽減パッドの前記底部表面の短いエッジ上に配置された前記正方形または長方形は、それらの間に配置された残りのブロックよりも大きな幅を有する、請求項１に記載の張力軽減マットレスシステム。
【請求項８】
前記張力軽減パッドの前記底部表面上の隣接する各一対の正方形または長方形の間の間隔はほぼ均一である、請求項１に記載の張力軽減マットレスシステム。
【請求項９】
前記張力軽減パッドはポリウレタンフォームからなる、請求項１に記載の張力軽減マットレスシステム。
【請求項１０】
前記張力軽減パッドと前記インナースプリングユニットとの間に配置されたスペーサー用織物をさらに備える、請求項１に記載の張力軽減マットレスシステム。
【請求項１１】
張力軽減マットレスシステムであって、
複数の相互接続されたコイルを有するインナースプリングユニットと、
ほぼ平面状であるトップ層、および複数の隆起したブロックを形成する複数の切れ込みを有する底部層を有する張力軽減パッドと、を備えており、
前記複数の隆起したブロックのそれぞれの厚さ寸法は少なくとも約１インチであり、前記複数の隆起したブロックの幅寸法は、前記隆起したブロックのそれぞれの高さ寸法より大きいかまたは等しく、前記隆起したブロックの隣接する対の間の距離は、最も小さい幅の約１５％である、
張力軽減マットレスシステム。
【請求項１２】
前記複数の隆起したブロックのサイズは均一である、請求項１１に記載の張力軽減マットレスシステム。
【請求項１３】
前記複数の隆起したブロックのサイズは不均一である、請求項１１に記載の張力軽減マットレスシステム。
【請求項１４】
前記複数のフォームブロックのサイズは、前記インナースプリングユニットの１つまたはそれ以上のコイルに対応する、請求項１１に記載の張力軽減マットレスシステム。
【請求項１５】
前記張力軽減パッドはポリウレタンフォームからなる、請求項１１に記載の張力軽減マットレスシステム。
【請求項１６】
張力軽減マットレスシステムであって、
複数の相互接続されたコイルを有するインナースプリングユニットと、
２つまたはそれ以上のフォーム層および前記２つまたはそれ以上のフォーム層の間に位置する張力軽減パッドからなる快適ユニットであって、前記張力軽減パッドは複数の隆起したブロックを形成する複数の切れ込みを含む上部表面を有する、快適ユニットと、を備えており、
前記張力軽減パッドの厚さは少なくとも約１インチであり、
前記張力軽減フォームパッドの前記２つまたはそれ以上の層は薄層状に互いに貼り合わされている、
張力軽減マットレスシステム。
【請求項１７】
前記複数の隆起したブロックのサイズは均一である、請求項１６に記載の張力軽減マットレスシステム。
【請求項１８】
前記複数の隆起したブロックのサイズは不均一である、請求項１６に記載の張力軽減マットレスシステム。
【請求項１９】
前記張力軽減パッドはポリウレタンフォームからなる、請求項１６に記載の張力軽減マットレスシステム。
【請求項２０】
前記複数の隆起したブロックの高さは、少なくとも２．５インチである、請求項１６に記載の張力軽減マットレスシステム。
【国際調査報告】
2014512936.tif 000015